(57)【要約】      （修正有）【課題】顔面を含む身体の皮膚面上でローラ本体を転動させることによって皮膚を活性化させる美容ローラ、特に身体の皮膚面の汚れや細菌を分解して皮膚を活性化させることのできる美容ローラを提供する。【解決手段】純チタン製のローラ本体１と、純チタン製の二股になった把手２と、純チタン製のビス３１，３２を備え、前記ローラ本体１の両側には窪み部１１，１２を設ける。又、純チタン製の把手２の二股になった両端部２１，２２で、ローラ本体１の両側の窪み部を挟み、純チタン製のビス３１，３２でかしめて、ローラ本体を回転自在に保持し、ローラ本体の表面をチタニア被膜で被覆して美容ローラを構成する。さらに、前記純チタン製ローラ本体１の表面の形状をブラスト処理し、その上にチタニア被膜で被覆する。【選択図】図１
0003160046.tif 000002
【実用新案登録請求の範囲】
【請求項１】
純チタン製のローラ本体１と、純チタン製の二股になった把手２と、純チタン製のビス３１，３２を備え、前記ローラ本体１の両側には窪み部１１，１２を設け、純チタン製の把手２の二股になった両端部２１，２２で、ローラ本体１の両側の窪み部を挟み、純チタン製のビス３１，３２でかしめて、ローラ本体を回転自在に保持し、ローラ本体の表面をチタニア被膜で被覆したことを特徴とする美容ローラ。
【請求項２】
前記純チタン製ローラ本体１の表面の形状をブラスト処理し、その上にチタニア被膜で被覆したことを特徴とする請求項１に記載の美容ローラ。
【考案の詳細な説明】
【技術分野】
【０００１】
本考案は、顔面を含む身体の皮膚面上でローラ本体を転動させることによって皮膚を活性化させる美容ローラ、特に身体の皮膚面の汚れや細菌を分解して皮膚を活性化させることのできる美容ローラに関する。
【背景技術】
【０００２】
従来、把手を手で掴んでその把手に取り付けたローラを顔面や身体各部の皮膚面上で転動させることによって皮膚をマッサージするという美容あるいは健康増進を目的とする治具が知られていた。
【０００３】
一方、特許第３４９６９２３号公報（特許文献１、先行例という）によって光触媒コーティング組成物及びその成形方法に関する技術が開示されている。具体的には、金属成品、セラミック又はこれらの混合物からなる被処理成品の表面にチタン又はチタン合金からなる所定粒径の粉体を所定の速度及び圧力で噴射したときに生じる熱エネルギーでチタン粉体が加熱されて被処理成品の表面に活性化吸着して拡散浸透し、さらには大気中の酸素と反応して酸化されることによりチタニア被膜が形成されること、チタニア被膜が脱臭、抗菌、防汚といった分解機能を有する光触媒として作用すること、チタニア被膜による光触媒作用はチタニア被膜に太陽光や蛍光灯などの光が照射されることによって発揮されることなどが記載されている。また、チタニア被膜による分解機能は、チタニア表面に発生した電子が空気中の酸素を還元してスーパーオキシドイオン（Ｏ2-）に変え、チタニア表面に発生した正孔がチタニア表面に付着した水分を酸化して水酸基ラジカル（ＯＨ）に変え、これらのスーパーオキシドイオン及び水酸基ラジカルがチタニア表面の汚れなどの有機化合物を酸化分解することによって発揮されること、なども記載されている。
【先行技術文献】
【特許文献】
【０００４】
【特許文献１】特許第３４９６９２３号公報
【考案の概要】
【考案が解決しようとする課題】
【０００５】
既述した従来の上記治具は、ローラを転動させて皮膚面をマッサージすることによる活性化作用を期待しているものに過ぎず、皮膚面の保湿を高め、有機物による汚れや細菌を取り除いて皮膚を活性化させるものではなかった。そのため、従来の治具に対しては、有機物や細菌に起因する肌あれや衰えを抑えたり、乾燥肌や脂性肌を改善したり、目尻、首、手などの小皺や弛みなどを抑制したりするという効果をそれほど期待することができなかった。
【０００６】
本考案は、以上の状況の下でなされたものであり、顔面を含む身体の皮膚面上でローラを転動させてマッサージ効果を得るという従来の治具の使用方法及びそれによって発揮される作用を踏まえた上で、上記したチタニア被膜の光触媒作用による脱臭、抗菌、防汚といった有機物などの分解機能を人体の美容に効果的に役立たせ得る対策を講じることによって、所謂肌あれ、肌の衰え、乾燥肌や脂性肌、目尻や首や手などの小皺、頬、顎、首などの皮膚の弛みなどを改善すること、ないし、それらの進行を抑制することなどに寄与し得る美容ローラを提供することを目的とする。
【０００７】
また、本考案は、皮膚面に接触させてローラを転動させるという使用方法を採った場合に、金属アレルギーによる皮膚の炎症などを起こすおそれのない美容ローラを提供することを目的とする。
【課題を解決するための手段】
【０００８】
純チタン製のローラ本体１と、純チタン製の二股になった把手２と、純チタン製のビス３１，３２を備え、前記ローラ本体１の両側には窪み部１１，１２を設け、純チタン製の把手２の二股になった両端部２１，２２で、ローラ本体１の両側の窪み部を挟み、純チタン製のビス３１，３２でかしめて、ローラ本体を回転自在に保持し、ローラ本体の表面をチタニア被膜で被覆したことを特徴とする美容ローラである。
前記純チタン製ローラ本体１の表面の形状をブラスト処理し、その上にチタニア被膜で被覆したことを特徴とする美容ローラである。
本考案に係る美容ローラは、チタン製主部の表面をチタニア被膜で被覆してなるローラ本体が、把手に回転自在に保持されているというものであり、上記把手が手で掴むことのできる大きさを有し、上記ローラ本体が、上記把手を手で掴んで動かすことによって顔面を含む身体の皮膚面上で転動させることのできる大きさを有していることが望ましい。
【０００９】
この構成を備える美容ローラによれば、把手を手で掴んでローラ本体を顔面や身体のその他の箇所の皮膚面の上で軽く転動させるだけで、皮膚面がマッサージされて血流やリンパの流れを良くするだけでなく、ローラ本体の表面の微細凹面がチタンの親水性と連動して皮膚表面の保湿を保ち、また被覆しているチタニア被膜による光触媒作用によって有機物による汚れや細菌が分解除去され、皮膚の老化が抑制されて皮膚の活性化ひいては皺の発生や弛みが抑制されて皮膚の引締め作用が発揮される。また、ローラ本体を形成しているチタン製主部やチタニア被膜が、身体の皮膚に接触しても金属アレルギーを起こさず、発癌性やその他の毒性を示さない安全で無害な物質であるために、当該美容ローラの使用によって皮膚が金属アレルギーによる炎症を起こしたり皮膚癌を起こしたりするおそれがない。
【考案の効果】
【００１０】
以上のように、本考案に係る美容ローラは、ローラを顔面や身体各部の皮膚面上で転動させることによって皮膚をマッサージするという従来の治具によっても発揮される皮膚の新陳代謝の活発化を図るという作用だけでなく、ローラ本体の親水性と表面の徴微細の凹による保湿性が良くなり、チタニア被膜の光触媒作用によって有機物による汚れや細菌が分解除去されて皮膚の老化が抑制され、併せて皺や弛みを引き締めて活き活きとした美しい皮膚を保つことが可能になるという効果が奏される。また、皮膚に接するローラ本体が、金属アレルギーによる皮膚炎を起こすおそれや皮膚癌を起こすおそれのないチタン製主部とその表面を被覆しているチタニア被膜とによって形成されているので安全性にも優れている。また、使用時には把手を手で掴んでローラ本体を皮膚面上で軽く転動させるだけであるので、時と場所を選ばずに使い勝手よく使用することができるという利点もある。
【図面の簡単な説明】
【００１１】
【図１】本考案の実施形態に係る美容ローラの構成である。（ａ）は平面図、（ｂ）はローラ本体の取付け部の構成
【図２】本考案のローラ本体の構成である。  （ａ）ローラ本体の断面図、（ｂ）はローラ本体表面の拡大図
【考案を実施するための最良の形態】
【００１２】
図１は本考案の実施形態に係る美容ローラの構成図であり、（ａ）は平面図、（ｂ）はローラ本体の取付け部の構成を示す。
同図において、１はローラ本体、２は把手、２１、２２は把手２の二股になった端部である。３１，３２はビスである。
純チタン製のローラ本体１と、純チタン製の二股になった把手２と、純チタン製のビス３１，３２を備え、前記ローラ本体１の両側には窪み部１１，１２を設け、純チタン製の把手２の二股になった両端部２１，２２で、ローラ本体１の両側の窪み部を挟み、純チタン製のビス３１，３２でかしめて、ローラ本体を回転自在に保持するものである。
【００１３】
図２はローラ本体の表面を表す構成図であり、（ a ）は断面図、（ b ）はローラ表面を拡大したものである。
同図において、１はローラ本体、４はチタニア被膜を表したものである。 
（ｂ）の拡大図に示すように、前記純チタン製ローラ本体１の表面の形状をブラスト処理により超微細な多数の凹部を形成し、その上にチタニア被膜で被覆している。
【００１４】
ローラ本体１はチタン製主部の表面をチタニア被膜で被覆してなるものであって、チタン以外の金属は含まれていない。そのため、このローラ本体１を皮膚面に接触させて転動させても、皮膚が金属アレルギーによる炎症を起こしたり皮膚癌を起こしたりするおそれはない。また、把手１は手で掴むことのできる大きさを有し、ローラ本体１は、把手２を手で掴んで動かすことによって顔面を含む身体の皮膚面上で転動させることのできる大きさを有している。
【００１５】
ローラ本体１はブラスト処理すなわち次の手法を採用することによって作られている。円柱状のチタン製主部の表面に所定粒径のチタン粉体を所定の速度及び圧力で噴射して表面を徴微細な凹状にしてさらに熱エネルギーを発生させる、その熱エネルギーで加熱されたチタン粉体がチタン製主部の表面に活性化吸着すると共に、そのチタン製主部の内層部分に拡散浸透するという性質を利用し、かつ、そのチタン粉体が大気中の酸素と反応して酸化されることによってチタン製主部の表面にチタニア被膜を生成するという性質を利用することによって作られている。したがって、このローラ本体１は、チタニア被膜をチタン製主部の表面に接着剤などを用いて接合するといった煩わしい工程を経ずに製作されている。したがって、このローラ本体１に備わっているチタニア被膜は、その表面から内側に入るに従って酸素がわずかに欠乏気味となる酸素欠乏傾斜構造といわれる構造を呈し、この酸素欠乏傾斜構造が光触媒反応において紫外線に対してのみでなく、可視光線、赤外線、電波、Ｘ線などのあらゆる電磁波に応答して光触媒反応を起こす要因になると推定されている。
【００１６】
そして、冒頭に掲げた先行例にも記載されているところから明らかなように、ローラ本体１の表面のチタニア被膜は脱臭、抗菌、防汚といった分解機能を有する光触媒として作用し、そのような光触媒作用がチタニア被膜に太陽光や蛍光灯などの光が照射されることによって発揮される。そして、上記の分解機能は、チタニア表面に発生した電子が空気中の酸素を還元してスーパーオキシドイオン（Ｏ2-）に変え、チタニア表面に発生した正孔がチタニア表面に付着した水分を酸化して水酸基ラジカル（ＯＨ）に変え、これらのスーパーオキシドイオン及び水酸基ラジカルがチタニア表面の汚れなどの有機化合物を酸化分解することによって発揮される。
【００１７】
したがって、図１に示した実施形態の美容ローラの把手２を手で掴んでそのローラ本体１を顔面や皮膚面上のその他の箇所で軽く転動させると、チタニア被膜による光触媒作用によって、防汚、抗菌、殺菌、脱臭消臭、浄水、帯電防止、機能が発揮される。また、親水性と凹形状が皮膚の保湿性を保ち、その結果、有機物や細菌に起因する肌あれや衰えが抑えられたり、乾燥肌や脂性肌が改善されたり、目尻、首、手などの小皺や弛みなどが抑制されたりして皮膚が引き締められ、小皺や皮膚の弛みの発生が抑制される。その上、皮膚面上でローラ本体１を転動させることによって皮膚面からの身体へのマッサージ作用も発揮され、そのマッサージ作用によって皮膚内部の血液やリンパ液の流れが促進されて新陳代謝が活発するという効果も得られる。その上、ローラ本体１がチタン製主部をチタニア被膜で被覆してなるので、静電気による摩擦抵抗が無く、皮膚面上でローラ本体１を転動させる際の肌触りが良いという利点もある。
【符号の説明】
【００１８】
１     ローラ本体
１１、１２  窪み
２      把手
２１、２２    把手の二股の端部
３１、３２    ビス
４            チタニア被膜
【図１】
0003160046.tif 000003
【図２】
0003160046.tif 000004